(57)【要約】【課題】画像データを利用する装置側に画像表示装置や操作パネルを特別設けることなく画像の表示や選択を行えるシステムを提供する。【解決手段】カメラ１０とプリンタ２００との通信が確立されると、カメラ１０は、現在カメラ１０に設定されているカメラ１０に固有の動作モード（即ち静止画撮影モード、動画撮影モード又は再生モード）から画像再生／検索モードに移行し、プリンタ２００からの画像データの受信を待機する。プリンタ２００は、画像記憶部２０に記憶された各画像ファイルからサムネイル画像を読み出し、通信インターフェース７７経由でカメラ１０に送信する。【選択図】  図５
2006201958.tif 000002
【特許請求の範囲】
【請求項１】
画像を表示する表示装置、通信を行う第１通信部を有する通信端末と、
前記第１通信部と接続して通信を行う第２通信部、画像を記憶する画像記憶部を有する画像記憶装置と、
を備え、
前記通信端末は前記第１通信部と前記第２通信部との通信が確立した場合に前記通信端末に固有の動作モードから前記画像記憶部の画像を表示する動作モードに移行する画像表示システム。
【請求項２】
前記画像記憶装置は前記画像を縮小したサムネイル画像を記憶し、
前記画像記憶装置は前記第１通信部と前記第２通信部との通信が確立した場合に前記画像記憶部のサムネイル画像を前記通信端末に送信し、
前記通信端末は前記画像記憶装置から前記サムネイル画像を受信して前記表示装置に表示する請求項１に記載の画像表示システム。
【請求項３】
前記通信端末は前記受信したサムネイル画像の中から所望のサムネイル画像の選択を受け付ける請求項２に記載の画像表示システム。
【請求項４】
前記画像記憶装置は前記選択されたサムネイル画像の作成元となった画像を前記画像記憶部から特定する請求項３に記載の画像表示システム。
【請求項５】
前記画像記憶装置は前記特定された画像をプリントするプリント出力部を有する請求項４に記載の画像表示システム。
【発明の詳細な説明】
【技術分野】
【０００１】
本発明は画像表示システムに係り、特に画像表示装置を有する通信端末と画像記憶装置からなる画像表示システムに関する。
【背景技術】
【０００２】
従来、パソコンを介さず通信端末から直接画像の転送を受け、その画像を様々な方法で利用する装置に関する技術が開発されている。例えば特許文献１によると、画像データを格納する記憶媒体を装着する装着部と、前記装着部を介して入力される画像データを処理する処理手段と、ユーザにより操作されて命令及びデータを入力するための操作部と、前記操作部による設定に基づきプリントする出力手段と、大容量記憶装置との接続端子と、光学式読み取り装置を含んでダイレクトプリンタ装置を構成する。
【特許文献１】特開２００４−２１６５５９号公報
【発明の開示】
【発明が解決しようとする課題】
【０００３】
特許文献１の技術では、キーボードやディスプレイなどを備えたパソコン環境を使用しない代償として、画像を表示する液晶表示部やプリントしたい画像を選択する各種キースイッチ等を備える操作パネルをダイレクトプリンタ装置に設ける必要があり、装置単体の複雑化やコストアップにつながる。本発明はこのような問題点に鑑みてなされたもので、画像データを利用する装置側に画像表示装置や操作パネルを特別設けることなく画像の表示や選択を行えるシステムを提供することを目的とする。
【課題を解決するための手段】
【０００４】
上記課題を解決するため、本発明に係る画像表示システムは、画像を表示する表示装置、通信を行う第１通信部を有する通信端末と、前記第１通信部と接続して通信を行う第２通信部、画像を記憶する画像記憶部、を有する画像記憶装置と、を備え、前記通信端末は前記第１通信部と前記第２通信部との通信が確立した場合に前記通信端末に固有の動作モードから前記画像記憶部の画像を表示する動作モードに移行する。
【０００５】
この発明によると、通信端末と画像記憶装置との通信確立に応じて通信端末を画像記憶装置の画像を表示する動作モードに移行させることで通信端末を画像表示装置として利用でき、画像記憶装置に特別の表示装置を設けなくて済む。
【０００６】
前記画像記憶装置は前記画像を縮小したサムネイル画像を記憶し、前記画像記憶装置は前記第１通信部と前記第２通信部との通信が確立した場合に前記画像記憶部のサムネイル画像を前記通信端末に送信し、前記通信端末は前記画像記憶装置から前記サムネイル画像を受信して前記表示装置に表示するようにしてもよい。
【０００７】
こうすると、画像そのものを送信するよりも通信時間・通信量が小さくてすむ。無論、必要に応じて画像そのものを送信してもよい。
【０００８】
前記通信端末は前記受信したサムネイル画像の中から所望のサムネイル画像の選択を受け付けるようにしてもよい。
【０００９】
こうすると、画像記憶装置に特別の操作手段を設けなくても、ユーザが所望の画像を選択できる。
【００１０】
前記画像記憶装置は前記選択されたサムネイル画像の作成元となった画像を前記画像記憶部から特定し、前記画像記憶装置は前記特定された画像をプリントしてもよい。
【００１１】
こうすると、画像記憶装置に特別の操作手段や画像表示手段を設けなくても、所望の画像を選択してプリントすることができる。
【発明の効果】
【００１２】
この発明によると、通信端末と画像記憶装置との通信確立に応じて通信端末を画像記憶部の画像を表示する動作モードに移行させることで通信端末を画像表示装置として利用でき、画像記憶装置に特別の表示装置を設けなくて済む。
【発明を実施するための最良の形態】
【００１３】
以下、添付した図面を参照し本発明の好ましい実施の形態を説明する。
【００１４】
図１は本発明の好ましい実施形態に係るプリントシステムの正面図である。このプリントシステムは、デジタルカメラ１０とプリンタ２００から構成される。デジタルカメラ１０は、直方体状の筐体を備えたプリンタ２００の上面に備えられた凹ガイド７５に載置することで、凹ガイド７５下部に備えられた後述する通信インターフェース７７によってプリンタ２００と電気的に相互接続し、撮影した画像など、各種のデータをプリンタ２００との間で送受信できる。カメラ１０とプリンタ２００の間の電気的接続としては、任意のインターフェース、たとえば、ＵＳＢ（ｕｎｉｖｅｒｓａｌ ｓｅｒｉａｌ ｂｕｓ）インターフェース規格、ＩＥＥＥ１３９４インターフェース規格、赤外線通信(IrDA)、Bluetooth、無線ＬＡＮまたは他のケーブル接続や無線接続の規格を利用することができる。通信コネクタの配置や配線の煩雑さを考慮すると、デジタルカメラ１０とプリンタ２００とは無線接続されることが好ましい。
【００１５】
プリンタ２００の筐体前面には操作ボタンとユーザへの指示警告を行うランプからなる操作部１２が設けられている。操作部１２には、プリントボタン２０１、左ボタン２０２Ｌ、右ボタン２０２Ｒ、画像サイズボタン２０３、画像サイズランプ２０４、画像転送ボタン２０５、充電ランプ２０６、用紙表示ランプ２０７、カートリッジランプ２０８が設けられている。各ボタン及びランプの詳細は後述する。プリンタ２００の筐体側面にはプリントを排出する用紙排出溝２１０が設けられている。
【００１６】
図２はプリンタ２００の上面図である。プリンタ２００の上面には、カメラ１０の筐体下面に備えられた通信インターフェース７６がプリンタ２００の筐体内部に設けられた通信インターフェース７７と良好に通信できるようにカメラ１０の位置を誘導する凹ガイド７５が設けられている。凹ガイド７５にカメラ１０の通信インターフェース７６が設けられた面を下にして凹ガイド７５に載置するだけでカメラ１０とプリンタ２００とが通信インターフェース７６・７７を介して電気的に接続される。このように、カメラ１０をプリンタ２００に載せるだけでカメラ１０とプリンタ２００とを接続できる規格は「イメージリンク」と呼ばれることがある。
【００１７】
図３はデジタルカメラ１０の機能ブロック図である。まず、同図のデジタルカメラ１０において、中央処理装置（ＣＰＵ）１１２は、レリーズスイッチ２２、モードダイヤル１５０等を含む操作部１１３の各種のボタンやキーからの入力に基づいてデジタルカメラ１０内の各回路を統括制御する。ＣＰＵ１１２の実行するプログラムはＥＥＰＲＯＭ１１９に記憶される。
【００１８】
いま、モードダイヤル１５０によって静止画撮影モードが設定されると、ＣＰＵ１１２は、動画（スルー画）を表示部１１０に表示させ、撮影画角を確認可能にする。即ち、撮像レンズ１４を通過した光は、固体撮像素子１０２ａに入射する。固体撮像素子１０２ａの受光面には、フォトセンサが平面的に配列されており、該受光面に結像された被写体像は、各フォトセンサによって入射光量に応じた量の信号電荷に変換される。こうして蓄積された信号電荷は、図示せぬドライバ回路から与えられるパルス信号に基づいて信号電荷に応じた電圧信号（画像信号）として順次読み出され、それぞれ撮像回路１０２ｂに加えられる。
【００１９】
撮像回路１０２ｂは、ゲイン調整回路を含み、得られた画像データは、それぞれ画像処理回路１０８及びハイパスフィルタ（ＨＰＦ）１２５へ送られる。画像処理回路１０８は、Ａ／Ｄ変換部１０８ａ、ホワイトバランス補正回路１０８ｂ、ガンマ補正回路１０８ｃ、ＹＣ処理回路１０８ｄ、輝度・色差信号生成回路、シャープネス補正回路、コントラスト補正回路、撮影画像に対する輪郭補正を含む画像処理を行う輪郭処理部、画像のノイズ低減処理を行うノイズ低減処理部等を含む画像処理手段であり、ＣＰＵ１１２からのコマンドに従って画像信号を処理する。
【００２０】
画像処理回路１０８に入力された画像データは、輝度信号（Ｙ信号）及び色差信号（Ｃｒ、Ｃｌ信号）に変換されるとともに、ガンマ補正等の所定の処理が施された後、ＶＲＡＭ１３２に格納される。
【００２１】
一方、撮像回路１０８のＡ／Ｄ変換部１０８ａでデジタル信号に変換された画像データは、ハイパスフィルタ（ＨＰＦ）１２５でＧ画素成分のみ抽出される。そして、積算処理部１２６で抽出されたＧ画素成分に積算処理が施されてＣＰＵ１１２に送られる。ＣＰＵ１１２は、積算処理部１２６から送られた１画面分の６４分割の画像データの内、十字キー８１で任意に設定された被写体中心付近の４エリアの平均値を算出し、これをオートフォーカス（ＡＦ）評価値とする。ＡＦ評価値は、所定周期の経過毎に算出され、算出の度にメモリ１２７に更新記憶される。ＣＰＵ１１２は、ＡＦ評価値に従って被写体の合焦を判定する。その判断方法は任意であるが、例えばＡＦ評価値が極大点の近傍に略到達しているか否かを判断し、極大点に略達している場合は合焦していると判断し、その他の場合は合焦していないと判断する。あるいは、ＡＦ評価値が所定の閾値を超えていれば合焦していると判断することもできる。
【００２２】
撮影画像を表示部１１０にモニタ出力する場合、ＶＲＡＭ１３２からＹＣ信号が読み出され、ビデオエンコーダ１３４に送られる。ビデオエンコーダ１３４は、入力されたＹＣ信号を表示用の所定方式の信号（例えば、ＮＴＳＣ方式のカラー複合映像信号）に変換して表示部１１０に出力する。表示部１１０の駆動はドライバ１１１を介して行われる。
【００２３】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号が表示部１１０に供給されることにより、撮像中の映像がリアルタイムに表示部１１０に表示される。ユーザは、表示部１１０に表示される映像（スルー）によって撮影画角を確認できる。
【００２４】
ここで、レリーズスイッチ２２が半押しされると、ＡＥ及びＡＦ処理が開始される。ＡＥ／ＡＦ処理が行われ、レリーズスイッチ２２が全押しされることによって記録用の撮影動作がスタートする。レリーズスイッチ２２全押しに応動して取得された画像データは画像処理回路１０８において輝度／色差信号（Ｙ／Ｃ信号）に変換され、ガンマ補正等の所定の処理が施された後、ＶＲＡＭ１３２に格納される。
【００２５】
ＶＲＡＭ１３２に格納されたＹ／Ｃ信号は、圧縮伸長処理回路１４４によって所定のフォーマットに従って圧縮された後、メディアコントローラ１４６を介して記録媒体４０にExif（Exchangeable Image File Format）ファイルとして記録される。画像はExifファイルのデータ部分に記録される。ＣＰＵ１１２は上記Exifファイルのヘッダ部分の所定のタグ（Imagedescriptionタグなど）に撮影日時情報、画像を所定の縮小率で縮小することで作成したJPEG形式あるいはTIFF形式のサムネイル画像などを記録する。以下、サムネイル画像の作成元となった画像を本画像で表し、サムネイル画像と区別する。記録された画像ファイルは、通信インターフェース７６を介して接続されたプリンタ２００に送信することもできる。通信インターフェース７６は、プリンタ２００の通信インターフェース７７と接続可能であり、ＣＰＵ１１２からのコマンドに従い、データの送受信を行う。
【００２６】
ＣＰＵ１１２には、キセノン管からなるストロボ１８の発光を制御するストロボ制御回路１１５も接続されており、静止画撮影において、低照度であることが検出された場合や、ストロボボタンによって発光が指示された場合や、強制発光モードが設定された場合にタイミングジェネレータ１２０によって発生されたタイミング信号に同期したタイミングで短時間（例えば１秒以上の短時間）発光するようにストロボ１８を制御する。
【００２７】
モードダイヤル１５０によって動画撮影モードが設定されたときには、レリーズスイッチ２２の全押し操作に連動して動画記録動作がスタートし、もう一度レリーズスイッチ２２を押下すると動画記録動作が停止する。レリーズスイッチ２２を押下継続している期間、録画動作を行い、押下解除によって録画を停止するようにしてもよい。動画データは、例えばモーションＪＰＥＧ（ＭＰＥＧ）形式によって記録媒体４０に記録される。
【００２８】
モードダイヤル１５０により再生モードが選択されると、記録媒体４０に記録されている最終の画像ファイル（最後に記録されたファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、ビデオエンコーダ１３４に加えられる。ビデオエンコーダ１３４は、入力するＹＣ信号からＮＴＳＣ方式のＲＧＢカラー複合映像信号を作成し、これを表示部１１０に出力する。これにより、表示部１１０には記録媒体４０に記録されている最終コマのコマ画像が表示される。
【００２９】
その後、十字キー８１の右キーが押されると、順方向にコマ送りされ、十字キー８１の左キーが押されると、逆方向にコマ送りされる。そして、コマ送りされたコマ位置の画像ファイルが記録媒体４０から読み出され、上記と同様にしてコマ画像が表示部１１０に再生される。尚、最終コマのコマ画像が表示されている状態で順方向にコマ送りされると、記録媒体４０に記録されている１コマ目の画像ファイルが読み出され、１コマ目のコマ画像が表示部１１０に再生される。
【００３０】
表示部１１０は、カメラ１０に内蔵されたＬＣＤ１１４、ファインダー又は映像出力端子等に接続された外部の表示装置に相当する。なお、ＣＰＵ１１２は、ＯＳＤ信号発生回路を含み、ＯＳＤ信号発生回路はシャッター速度や絞り値、撮影可能枚数、撮影日時、警告指示等の文字及びアイコン等の記号を表示するための信号を発生させる。このＯＳＤ信号発生回路から出力される信号は、必要に応じて画像信号に混合されて、ＬＣＤ１１４に供給される。これにより、スルー画像や再生画像に文字やアイコン等が合成された合成画像が表示される。
【００３１】
記録媒体４０は、撮影で得た画像データを保持する手段であり、例えばスマートメディアと呼ばれるメモリカードが使用される。記録メディアの形態はこれに限定されず、ＰＣカード、コンパクトフラッシュ（登録商標）、磁気ディスク、光ディスク、光磁気ディスク、メモリスティックなどでもよく、電子的、磁気的、もしくは光学的、又はこれらの組み合わせによる方式などに従って読み書き可能な媒体を用いることができる。異種・同種の記録メディアを問わず、複数の媒体を装着可能な構成にしてもよい。また、画像ファイルを保存する手段は、カメラ本体に着脱可能なリムーバブルメディアに限らず、カメラに内蔵された記録媒体（内蔵メモリ）であってもよい。
【００３２】
ＣＰＵ１１２は、カメラ１０の各回路を統括制御する制御回路であり、レリーズスイッチ２２、十字キー８１、電源スイッチ８２、モードダイヤル１５０、情報位置指定キー８３あるいは図示しないストロボボタン、ズームキー、メニュー／実行ボタンその他を含む操作部１１３から受信する信号に基づき、対応する回路の動作を制御するとともに、表示部１１０における表示制御、ストロボ発光制御、オートフォーカス（ＡＦ）制御及び自動露出（ＡＥ）制御等を行う。
【００３３】
カメラ１０の電源が電源スイッチ８２でオンされる度に、カメラボディ内部に装着される電池１６５から、電源回路１６４を介してデジタルカメラ１０の各回路に電源が供給される。
【００３４】
画像処理回路１０８からの画像データは、測光処理部１５７にも送られる。この測光処理部１５７は、外光の光量を測定する手段の一例である。測光処理部１５７は、入力される各画像データと、固体撮像素子１０２ａの電荷蓄積時間、すなわち電子シャッタのシャッタ秒時とに基づいて被写体輝度の測光値（ＥＶ値）を算出する測光値算出部により構成できる。これにより、固体撮像素子１０２ａの駆動が調節される。なお、電子シャッタのシャッタ秒時とともに絞り値を変化させてもよい。絞り値を変化させる場合には、絞り値を加味して被写体輝度に応じた測光値を算出する。このように、測光処理部１５７は、固体撮像素子１０２ａを受光センサとしてＴＴＬ（Through The Lens) 測光方式によって被写体の明るさ（被写体輝度）を検出する。測光処理部１５７は、フォトトランジスタで構成された測光センサであってもよく、測光が可能な手段であれば特に限定されない。
【００３５】
図４はプリンタ２００の構成を示すブロック図である。プリンタ２００は、通信インターフェース７７と、操作部１２と、プリント物を印刷するプリント出力部１３と、画像サイズランプ２０４ａ〜ｄ、充電ランプ２０６、用紙表示ランプ２０７、カートリッジランプ２０８からなる表示部１５、処理部１７の実行するプログラム、データ並びにフレームなどの付帯画像等を書き換え可能に保持記憶するメモリ（フラッシュメモリなど）で構成された記憶部１６と、各部の制御及び各種演算を行う処理部１７と、データを一時的に記憶するＲＡＭ２１を備えている。
【００３６】
また、プリンタ２００は、画像ファイルを入力する画像入力部１９、画像入力部１９から入力された画像ファイルを記憶する画像記憶部２０を備えている。例えば、画像入力部１９は、デジタルカメラ用メディアやＣＤ−Ｒなどの記録媒体に記録されたExif形式の画像ファイルを読み取るものである。記録媒体には限定はなく、画像ファイルを記録可能であれば、どのような記録媒体でもよい。例えば、スマートメディアやｘＤピクチャカード、コンパクトフラッシュ、メモリスティック、ＳＤメディアカード、マイクロドライブなどの、デジタルカメラやカメラ付き携帯電話等で撮影された画像を記録するデジタルカメラ用メディア、画像のデジタル化サービス等によって画像が記録されたＣＤ−Ｒ／ＲＷ、ＭＤ、ＭＯ、フレキシブルディスク、ＺＩＰ等の各種の記録媒体が利用可能である。
【００３７】
画像入力部１９は、対象とする記録媒体に応じた公知のものを用いればよい。また、インターネット、無線ＬＡＮ、PictBridge等のコンピュータ通信ネットワークを介してパソコンやデジタルカメラから画像ファイルを入力する手段も、画像入力部１９として利用可能である。通信インターフェース７７を介して接続されたデジタルカメラ１０からも画像ファイルを入力することができれば、画像入力部１９として利用可能である。説明の簡略のため、画像入力部１９から入力される画像ファイルはサムネイル画像と本画像を記録したExifファイルであるものとする。
【００３８】
画像入力部１９ないし通信インターフェース７７を介して入力された画像ファイルは、ハードディスクユニットなどの大容量記憶媒体で構成された画像記憶部２０に記憶される。
【００３９】
処理部１７は、画像記憶部２０に記憶された画像データに従ってプリント出力用の画像データを生成する。以下、このプリント出力用の画像データをプリントデータといい、プリントデータを作成する処理をプリントデータ処理という。プリントデータは、プリント出力部１３に送信され、プリント出力部１３は印画動作を実行しプリントをプリント排出口２１０から出力する。印画方式については特に限定されず、印画紙自体が熱によって発色するサーモ・オートクローム（ＴＡ）方式、インク滴をノズルによって印画紙に吹きつけるインクジェット方式など、種々の方式が可能である。
【００４０】
プリントする画像のサイズは、フルサイズ、２分割、４分割、９分割のいずれかを画像サイズボタン２０３によって適宜指定でき、フルサイズ、２分割、４分割、９分割のいずれかが選択されると、対応する画像サイズランプ２０４ａ〜ｄのいずれかが点灯する。
【００４１】
以下、図５のフローチャートに従い、カメラ１０とプリンタ２００との通信が確立された場合におけるプリントシステムの動作を説明する。
【００４２】
Ｓ１では、カメラ１０とプリンタ２００との通信が確立されると、カメラ１０は、現在カメラ１０に設定されているカメラ１０に固有の動作モード（即ち静止画撮影モード、動画撮影モード又は再生モード）から画像再生／検索モードに移行し、プリンタ２００からの画像データの受信を待機する。なお、カメラ１０とプリンタ２００との通信が確立されない限り、現在設定されているモードが続行される。また、画像再生／検索モードに移行した後にモードダイヤル１５０が操作されて固有の動作モードが再び設定された場合、その設定された固有の動作モードに移行する。
【００４３】
Ｓ２では、プリンタ２００は、画像記憶部２０に記憶された各画像ファイルからサムネイル画像を読み出し、通信インターフェース７７経由でカメラ１０に送信する。プリンタ２００からカメラ１０に送信するのはサムネイル画像であるため、送信に要する時間やパケット容量は本画像を送る場合よりも少なくなる。
【００４４】
Ｓ３では、カメラ１０は通信インターフェース７６経由で受信したサムネイル画像を圧縮伸長処理回路１４４を介して伸長し、表示部１１０に一覧表示させる（図６参照）。
【００４５】
Ｓ４では、プリンタ２００でプリントすべき本画像を選択させるため、所望のサムネイル画像の選択を十字キー８１の操作で受け付ける。ユーザは、十字キー８１の押下により、所望のサムネイル画像を選択し、情報位置指定キー８３の押下により選択を確定させる。図６では、複数のサムネイル画像pic1, pic2, pic3..のうちpic3が選択されている。
【００４６】
Ｓ５では、カメラ１０は、選択されたサムネイル画像の識別情報を通信インターフェース７６経由でプリンタ２００に送信する。サムネイル画像の識別情報とは、そのサムネイル画像のファイル名やサムネイル画像を記憶するExifファイルのファイル名などである。
【００４７】
Ｓ６では、処理部１７は、受信したサムネイルの識別情報に基づいて該サムネイル画像の作成元となった本画像を画像記憶部２０から特定して抽出する。処理部１７は、抽出した本画像に従ってプリント出力用の画像データを生成する。プリントデータは、プリント出力部１３に送信され、プリント出力部１３は印画動作を実行しプリントをプリント排出口２１０から出力する。
【００４８】
以上説明した通り、カメラ１０は、プリンタ２００との通信確立に応じて画像再生／検索モードに移行する。画像再生／検索モードでは、カメラ１０からプリントすべき本画像に対応する所望のサムネイル画像を選択できる。このため、プリンタ２００に特別の表示装置や操作手段を設けなくても所望の画像をプリントすることができる。
【００４９】
＜第２実施形態＞
本発明はデジタルカメラ１０とプリンタ２００とから構成される画像表示システムに限らない。デジタルカメラ１０は、その他の画像表示手段を備えた各種の通信端末（ＰＤＡや携帯電話）で置換できる。この場合、通信端末に固有の動作モードは通信端末によって様々であり、例えば通信端末が携帯電話の場合、固有の動作モードは電話発受信、メール送受信、カメラ撮影、画像閲覧などである。携帯電話がこれらの固有の動作モード中、画像記憶装置と接続を確立すると、画像記憶装置の画像を表示できる画像再生／検索モードに移行する。
【００５０】
特定の固有の動作モード中の場合は画像記憶装置と接続を確立しても画像再生／検索モードに移行しないようにしてもよい。例えば、電話発受信中は画像記憶装置と接続を確立しても画像再生／検索モードに移行しないようにしてもよい。この特定の固有の動作モードを移行禁止対象モードとして通信端末から任意に設定できるようにしてもよいし、予め通信端末に設定されていてもよい。
【００５１】
また、プリンタ２００は、プリント出力部１３を備えず、かつ画像記憶部２０を備える各種の画像記憶装置に置換できる。この際、画像記憶装置は、上述のＳ６でプリントを作成する代わりに、選択されたサムネイル画像の本画像を外部のパソコンに転送する機能などを実行してもよい。
【図面の簡単な説明】
【００５２】
【図１】本発明の好ましい実施形態に係るプリントシステムの正面図
【図２】プリンタの上面図
【図３】デジタルカメラのブロック図
【図４】プリンタのブロック図
【図５】通信確立後におけるプリントシステムの動作の流れを示すフローチャート
【図６】サムネイル画像の一覧表示を示す図
【符号の説明】
【００５３】
１０：カメラ、１６：記憶部、７６・７７：通信インターフェース、２００：プリンタ
【図１】
2006201958.tif 000003
【図２】
2006201958.tif 000004
【図３】
2006201958.tif 000005
【図４】
2006201958.tif 000006
【図５】
2006201958.tif 000007
【図６】
2006201958.tif 000008